(57)【要約】      （修正有）【課題】携帯可能で弱者でも大きな牽引力が作れる器具を用いて、胴体に対しておよそ直角に曲げた大腿部に押し付け力を加えることにより腰推に必要で適性な牽引力を確実に加える腰部牽引器具の提供。【解決手段】膝を曲げて腹に対しておよそ垂直に立てた状態の大腿部を適度な力で押す手段とその反力を受ける手段から腰部牽引器具を構成する。具体的には、大腿部２か所に同時に当てる１枚の左右対称で平板状の大腿部当て、該大腿部当てのおよそ中央に一端を連結した細長い棒で形成されるロッド、ラチェット機構と圧縮バネを用いて該ロッドに軸力を与える押付力発生装置、該押付力発生装置を該ロッドの反対側で支えるフレ−ム及び該フレームに連結された２か所の脇下に挟み込んで用いる脇下受けから構成される。【選択図】図１
2005261943.tif 000002
【特許請求の範囲】
【請求項１】
腹に対しておよそ垂直に膝を曲げた状態で大腿部に対し垂直方向に適度な力で押す手段とその反力を脇下ないしは手で受ける手段から構成される腰部牽引器具に於いて、
（１）左右対称の長方形の平板で形成され２か所の大腿部に同時に当てる大腿部当て
（２）一端が該大腿部当ての中央に連結される細長い段付きの棒で形成されたロッド
（３）手の力を用いた手動式、空気圧力を用いた空圧式そして電磁気力を用いた電動式等により該ロッドに軸力を与える押付力発生装置
（４）該押付力発生装置を該ロッドの反対側で支えるフレ−ム
（５）該フレームに連結され２か所の脇下に挟み込んで用いる脇下受け。
以上で構成されたことを特徴とする腰部牽引器具
【請求項２】
一端が脇下に挟み込めるような湾曲した形状を有する平板矩形状の該湾曲面の直角面で床に置かれる端面から１０ｃｍ前後以上突出した板状ないしは棒状の回転止めを固定した脇下受けを２か所設けるとともに該回転止め反対側の端面近傍をそれぞれ該フレームに連結して構成されたことを特徴とする請求項１記載の腰部牽引器具。
【請求項３】
腕の付け根に入る大きさの径を有するともに該径寸法も人体に合わせて調整可能となるようにバックルのような締め金の付いたリング状でしかも布や皮のように柔軟性のある材料を用いて形成されたベルトの一か所にフレ−ムの一端に取り付ける装着具を設けて構成される脇下受けを２か所設けて構成されたことを特徴とする請求項１記載の腰部牽引器具。
【請求項４】
請求項１記載のロッドに軸力を与える押付力発生装置に於いて、
（１）請求項１記載の大腿部当てに装着される細長い段付きの棒の反対側の円筒部に複数の同じ溝幅の円周溝を設けたロッド３。
（２）イチョウの葉に似た扇形の先端円弧部に鋸歯状で形成されたギア部を設け、またイチョウの葉の細長い柄に相当するハンドルの先端部に握り部を設け、さらには扇の要に相当するギア部とハンドルが結合されている部位に軸穴を設けた構成において該軸穴から該ハンドルの握り部までの距離を該軸穴から該ギア部先端までの距離の２倍以上長く構成した腕押し具６。
（３）円筒中空の両脇に翼のような台座を設け、パイプの片側に該ロッドの円周溝を設けた側を軸方向移動を可能にして挿入し、その反対側には請求項１記載のフレ−ムを連結するとともに上記パイプの中間に該ハンドギアを装着する空間と軸穴を挿入する軸を設けて構成されるケ−ス５。
（４）該ロッドの円周溝側の端部と該ケ−スとの間に形成される空間内に装着される弾性体としての円筒形状の圧縮バネ９。
以上のようにロッドの円周溝とハンドギアのギア部を噛み合わせてラチェット機構を構成した手動式の押付力発生装置で構成されたことを特徴とする請求項１、２、３記載の腰部牽引器具。
【請求項５】
茶筒のような一端が閉塞した中空円筒で形成されるシリンダと該シリンダに挿入されるピストン部を設けた円柱状のロッド及び該シリンダと該ピストン部で囲まれた密閉空間内に空気を導入するチュ−ブと空気を送り込む空気ポンプ及びその空気ポンプを駆動する電源から構成された空圧式の押付力発生装置で構成されたことを特徴とする請求項１、２、３記載の腰部牽引器具。
【請求項６】
左右対称の長方形の平板で形成され２か所の大腿部に同時に当てる大腿当てと一端が該大腿部当ての中央に連結される細長い段付きの棒で形成されたロッドおよび該ロッドにおよそ直角で該大腿当ての長方形平板の長手方向におよそ平行な軸を有して該ロッドに固定された左右対称のハンドルで構成されたことを特徴とするの簡易式の腰部牽引器具。
【発明の詳細な説明】
【技術分野】
【０００１】
本発明は、肩と足の間の胴体部特に脊椎下部から骨盤の間にある腰椎部を引き伸ばして腰痛の原因を排除する腰部牽引器具に関する。
【背景技術】
【０００２】
人は長時間歩行すると自分の体重が背骨や腰部に掛かり、腰部に疲労現象が生じる。さらに手や肩に荷物を持っている場合などはその負担さらに増加するので、腰部の疲労現象が一層高まることになる。この疲労が蓄積されて進行すると腰痛に至ることになる。
【０００３】
このような腰痛にある人を椅子に座った状態で脇下と大腿部の間をベルトで上下に牽引して治療する装置がある（例えば、特許文献１参照。）。
【０００４】
また、骨板部と脇の下との間にスプリングを内蔵した支柱を設けて押し上げ力を作用させる器具を装着して脊椎下部に作用する力を軽減させて腰痛を軽減させる手段を用いた例がある。（例えば、特許文献２参照。）。
【特許文献１】特開２００３−８８５４０号公報
【特許文献２】特開２００２−１５９５１９号公報
【発明の開示】
【発明が解決しようとする課題】
【０００５】
特許文献１に示された例の場合には、大掛かりな牽引装置となるので、価格が高くなる問題や自宅などの居住空間では装置の収納が困難になるので就寝前に利用することができない問題や装置が大きくて携帯ができないので、疲労で腰痛が発生しやすい旅先での使用ができない問題があった。
【０００６】
特許文献２に示された例の場合には、一方を荷重を引っ掛かりが少ない骨盤で支えているので効果を得るに必要な大きな押し上げ力を与えることができないで腰推部への十分な牽引力が得られないで骨盤への負担が軽減されない問題や骨盤の当たる部位に力が集中して皮膚を痛める問題があった。
【０００７】
また組み付けには二重管を押縮めながら装着する必要があるので弱者のような力の弱い人には装着が困難となる問題があった。
【０００８】
本発明は、携帯可能で弱者でも大きな牽引力が作れる器具を用いて、胴体に対しておよそ直角に曲げた大腿部に押し付け力を加えることにより腰推に必要で適性な牽引力を確実に加えることを目的とする。
【０００９】
加えて、解体組み立てが可能で家庭内においても人体に容易に装着できて手軽に利用できる腰部牽引器具を提供することを目的とする。
【課題を解決するための手段】
【００１０】
そして、本発明は上記目的を達成するために、膝を曲げて腹に対しておよそ垂直に立てた状態で大腿部をおよそ垂直方向に適度な力で押す手段とその反力を脇下ないしは手で受ける手段から腰部牽引器具が構成される。
【００１１】
該腰部牽引器具は、大腿部２か所に同時に当てる１枚の左右対称で長方形の平板状の大腿部当て、該大腿部当てのおよそ中央に一端を連結した細長い段付き棒で形成されるロッド、該ロッドに軸力を与える押付力発生装置、該押付力発生装置を該ロッドの反対側で支えるフレ−ム及び該フレームに連結された２か所の脇下に挟み込んで用いる脇下受けから構成される。
【００１２】
該ロッドは押付力発生装置内に軸方向の移動を可能にして装着されている。また、該押付力発生装置の構成例として、手の力を用いた手動式、空気圧力を用いた空圧式そして電磁気力を用いた電動式等がある。
【００１３】
さらには、該ロッドの軸力が大腿部当てに斜めに作用して、大腿部当てが大腿部からずれて外れるような場合には、ベルトを背中から回してロッドと一緒に締め付ける。
【００１４】
また、第２の課題解決手段は、一端が脇下に挟み込めるような湾曲した形状を有する平板矩形状の該湾曲面の直角面で床に置かれる端面から１０ｃｍ前後以上突出した板状ないしは棒状の回転止めを固定した脇下受けを２か所設けるとともに該回転止め反対側の端面近傍をそれぞれ該フレームに連結して脇下受けを構成する。
【００１５】
該脇下受けに固定された回転止めを形成する板は長いほど機能は向上し、該板の一部を人体の一部で押さえ付けることにより一層その機能を高めることができる。
【００１６】
第３の課題解決手段であるフレームに連結される２か所の脇下受けの他の発明として、腕の付け根に入る大きさの径を有するともに該径寸法もバックルのような締め金の付いたリング状でしかも布や皮のように柔軟性のある材料を用いて形成されたベルトの一か所にフレ−ムの一端に取り付ける装着具を設けて構成される。
【００１７】
該脇下受けをバックルのような締め金の付いたベルトで構成することにより、人体の大きさに合わせて調整して適性な状態で締め付けて装着することができる。
【００１８】
また、第４の課題解決手段である手動式の押付力発生装置は、細長い丸棒のロッド、円筒中空の両脇に翼のような台座を設けたケ−ス、イチョウの葉に似た腕押し具及び該ケ−スの内部に装着する圧縮バネなどから構成されている。該ロッドには、前記の大腿部当てに装着される細長い段付きの棒の反対側の円筒部に複数の同じ溝幅の円周溝が設けられている。
【００１９】
該腕押し具は、イチョウの葉の扇形をしている部位に相当する先端円弧部に鋸歯状で形成されたギア部を設け、またイチョウの葉の細長い柄に相当するハンドルの先端部に握り部を設け、さらには扇の要に相当するギア部とハンドルが結合されている部位に軸穴を設けた構成において該軸穴から該ハンドルの握り部までの距離を該軸穴から該ギア部先端までの距離の２倍以上長くして形成されている。
【００２０】
以上のように、該ロッドに設けた円周溝に腕押し具のギア部を噛み合わせてラチェット機構が構成されている。
【００２１】
また該ケ−スの円筒中空のパイプには、該ロッドが円周溝を設けた側から軸方向移動を可能にして挿入され、その反対側には上記フレ−ムを連結するとともに翼のような台座に設けた軸に該腕押し具の軸穴を挿入して装着されている。
【００２２】
さらには、該ロッドの円周溝側の端部と該ケ−スとの間に形成される空間内に弾性体としての円筒形状の圧縮バネが装着されている。
【００２３】
そして、該ケースの圧縮バネが装着されている近傍の表面には目盛りが刻み込まれ、
該ロッドの円周溝側の端部に設けられた円筒部表面を貫通する指針穴にＬ字形状の指示ピンが挿入されＬ字の外にある針が該ケース表面の目盛り上に配置される。
【００２４】
この指示ピンの針は該ロッドの軸方向移動に連動すると同時に圧縮バネの圧縮量にも連動する。また該ケースの外側に該指示ピンのストッパを設けることにより、圧縮バネに伴う軸力の最大値が設定される。そして該ケ−スと脇下受けの間は該フレ−ムで機械的に連結されている。
【００２５】
第５の課題解決手段である空圧式の押付力発生装置は、茶筒のような一端が閉塞した中空円筒で形成されるシリンダと該シリンダに挿入されるピストン部を設けた円柱状のロッド及び該シリンダと該ピストン部で囲まれた密閉空間内に空気を導入するチュ−ブと空気を送り込む空気ポンプ及びその空気ポンプを駆動する電源から構成されている。
【００２６】
該シリンダ部に挿入されている該ピストン部の外周には密閉空間内の気密を保持するためのリングシールを設けても良い。また、密閉空間内の圧力が許容値を超えないように、シリンダ部ないしはポンプに安全装置としての圧力開閉弁を設ける。
【００２７】
第６の課題解決手段は、大腿当てとロッドおよびハンドルのみの少ない部品点数で他の発明としての腰部牽引器具が構成されている。
【００２８】
具体的には、左右対称の長方形の平板で形成され２か所の大腿部に同時に当てる大腿当てと一端が該大腿部当ての中央に連結される細長い段付きの棒で形成されたロッドおよび該ロッドにおよそ直角で該大腿当ての長方形平板の長手方向におよそ平行な軸を有して該ロッドに固定された左右対称のハンドルで腰部牽引器具が構成されている。
【００２９】
第１の課題解決手段による作用は次の通りである。すなはち、横臥して膝を立てた状態ないしは椅子に腰掛けた状態すなはち大腿部が胴体に対しておよそ直角に曲がった状態で、両脇下に挟み込んだ脇下受けにロッドを挿入した押付力発生装置を取り付けたフレームを装着し、両大腿部に当てた大腿部当ての中央部に該ロッドの先端を押し当てることで腰部牽引器具が人体に装着される。
【００３０】
このような状態から押付力発生装置を用いて軸力を発生させると、その軸力はロッドから大腿部当てを介して両大腿部に作用する一方で、その反力はフレ−ムから脇下受けを介して両脇下に作用することから、必要とされる十分な牽引力が確実に背骨部に加わることになる。これにより確実に腰部の疲労や腰痛が改善される。
【００３１】
該押付力発生装置からロッドに与えられた軸力の反力はフレ−ムを介して脇下受けに伝達されて、腕の付け根の脇下で受けることになる。
【００３２】
第２の課題解決手段の作用による作用は次の通りである。すなはち、押付力発生装置で発生した軸力はロッドに作用すると同時にその反力がフレ−ムを介して２か所の脇下受けのフレ−ム取り付け部に作用した力は脇下で受ける。
【００３３】
矩形端板状の脇下受けで押付力発生装置で発生した軸力の反力をフレ−ムを介して受ける場合、その反力を人体に作用する脇下から離れた脇下受けの端部近傍で受けるために、脇下受けには作用点と支点が異なることからモーメントが作用する。
【００３４】
そのモーメントは脇下受けの端部に設けた回転止めにより受け止められるので、脇下受けが回転することがなく定められた位置に保持される。そして、この回転止めの一部を人体の下に敷いてモ−メントを支えることもできる。
【００３５】
第３の課題解決手段の作用による作用は次の通りである。すなはち、押付力発生装置で発生した軸力はロッドに作用すると同時にその反力がフレ−ムを介して２か所の脇下受けのフレ−ム取り付け部に作用した力は脇下で受ける。
【００３６】
リング状の脇下受けで押付力発生手段で発生した軸力の反力をフレ−ムを介して受ける場合、どのような姿勢に於いても脇下受けが脇下から外れることはない。さらに、脇下受けを布や皮などの柔軟性の高い材料で作ることにより、装着が容易になる上に軽量化が図れる。
【００３７】
第４の課題解決手段の作用による作用は次の通りである。すなはち、ラチェット機構を用いた手動式の押付力発生装置を用いることにより、腕押し具の軸穴からギア部先端までの距離に対して軸穴からハンドルの握り部までの距離は数倍長く構成されていることから、テコの原理から小さな手の力で大きな軸力をロッドに加えることができる。
【００３８】
ハンドルの握り部を押すとギア部に噛み合っているロッドの円周溝が押し上げられると同時に圧縮バネが圧縮される。
【００３９】
そして、その軸力を圧縮バネの変位に置き換えているので、一定力を保持した状態で大腿部を介して、必要とされる十分な牽引力を持続させて背骨部に加えることができる。手動式なので、電源不要で如何なる場所でも利用できることと自分自身で身体への影響を確かめながら安全に利用できる。
【００４０】
大腿部当てに加わる押し付け力は圧縮バネの圧縮量に比例して移動する指示ピンで確認できるので、適性な力を与えることができる上にストッパを設けることにより圧縮バネの圧縮量ないしは押し付け力の最大値が制限されるので安全となる。
【００４１】
また、圧縮バネの代わりに引っ張りバネを用いる構成やロッド側に腕押し具を装着する構成も容易に考えられる。
【００４２】
第５の課題解決手段の作用による作用は次の通りである。すなはち、空気圧力を利用した空圧式の押付力発生装置を用いることにより、全く力のない人でも容易に大きな軸力をロッドに加えることができ、且つ身体に装着する腰部牽引器具の軽量化が図れる。
【００４３】
また、空気圧力の保持により必要とされる一定の軸力を継続して大腿部を介して、背骨部への牽引力として加えることができる。空気圧力の最大値は押付力発生装置に設けた安全弁で設定されるので、適性な押し付け力が安全に得られる。
【００４４】
第６の課題解決手段の作用による作用は次の通りである。すなはち、手で直接押し付け力を発生させるので、必要な時間内で常時手の力を継続させて加える必要がある。押す力は手から直接与えられて、そのまま大腿部に伝達される。
【発明の効果】
【００４５】
横臥して膝を立てた状態ないしは椅子に腰掛けた状態のように胴体に対しておよそ直角に曲がった両方の大腿部に、本発明の腰部牽引器具を用いて一定の力を持続させて与えることにより、必要とされる十分な牽引力が確実に背骨部に加わるので、確実に腰部の疲労や腰痛が改善される効果がある。
【００４６】
該腰部牽引器具の押付力発生装置で大腿部に加えた押し付け力の反力を回転止めを設けた平板矩形の脇下受けないしは柔軟性のある材料を用いたリング状の脇下受けで受け止めることにより、大腿部への押し付け力を確実に加えることができる効果がある。
【００４７】
また、リング状の脇下受けを用いることにより、椅子に座った状態でも本発明の腰部牽引器具を利用できる効果がある。
【００４８】
ラチェット機構を用いた手動式やピストンとシリンダ等で構成された空圧式などの押付力発生装置で構成された腰部牽引器具の利用により、老人や子供及び病人などの弱者や女性のように力の弱い人でも容易で且つ安全に利用できる効果がある。
【００４９】
空圧式の押付力発生装置を用いた場合には、簡素な構成で軽量となる効果と全く手の力を必要としないで必要な押し付け力が継続できるので確実に腰部の疲労や腰痛が改善される効果がある。
【００５０】
また、簡易型の押付力発生装置を用いると大幅な軽量化と低価格化が図れる効果がある。  
【００５１】
さらには、各種の押付力発生装置を用いた腰部牽引器具はいずれも小型軽量構成で分解組み立てが容易で携帯が可能となり如何なる場所でも利用できる効果がある。
【発明を実施するための最良の形態】
【００５２】
以下、本発明の実施の形態を図１〜図１０に基づいて説明する。
【００５３】
本発明の腰部牽引器具１は、図１に示すように膝を立てた状態で、該腰部牽引器具の一端を大腿部に当てると同時に他端を脇下に挟みこんだ状態で装着して使用する。
【００５４】
腰部牽引器具１の構成を図２〜図９を用いて説明する。
【００５５】
図２に示すように、腰部牽引器具１は膝を立てた状態の２か所大腿部に当てる左右対称で平板状の大腿部当て２、軸力を発生させる押付力発生装置４、押付力発生装置４で発生した軸力を大腿部当て２に伝達する細長い棒で形成されたロッド３、押付力発生装置４で発生した軸力の反力を受けるフレ−ム７と２か所の脇下受け８で構成される。
【００５６】
また図５に示すように、大腿部当て２の中央には取付穴２ｂが設けられたており、該取付穴２ｂに図６のロッド３に示す先端部３ａが挿入されて位置決めされている。
【００５７】
該ロッド３に押し付け力としての軸力を加える押付力発生装置４の具体的な構成を、図３に示した腰部牽引器具の中央部に位置する押付力発生装置の平面図とその図３の押付力発生装置の内部を可視化した図４より説明する。
【００５８】
円筒中空のシリンダ部５ａに２か所翼のように張り出したステ−５ｂの付いたケ−ス５とそのシリンダ部５ａの内部空間に装着した圧縮バネ９、該ケースのステ−５ｂに固定された支持軸５ｃを支点として揺動可能に装着された腕押し具６及び該シリンダ部５ａに挿入する軸に複数の円周溝３ｃを設けたロッド３から手動式の押付力発生装置４が構成される。
【００５９】
イチョウの葉に似た扇形の先端円弧部に鋸歯状で形成されたギア部６ａと該ケースに固定された軸に回転自由に装着される軸穴６ｂとイチョウの葉の葉柄に相当する手で力を加える握り部のあるハンドル６ｃで構成された腕押し具６が該ケ−スのステ−５ｂに装着されている。
【００６０】
腕押し具の軸穴６ｂからギア部６ａまでの距離に対して該軸穴からハンドル６ｃの握り部までの距離は数倍長く構成されている。
【００６１】
棒状ロッドに設けた複数の円周溝３ｃに腕押し具のギア部６ａを噛み合わせてラチェット機構を構成し、該ロッドの一端は大腿部当てに押し当てられ他端は弾性体としての圧縮バネに押し当てるとともに圧縮バネの圧縮量に比例して移動する指示ピン１０がロッドに先端部に固定されている。
【００６２】
該ケースのシリンダ部５ａ表面に刻み込まれた目盛り５ｃと指示ピン１０から圧縮バネの圧縮量が計測されることになる。また該シリンダ部５ａの外側に指示ピン１０のストッパ１１を設けることにより、圧縮バネに伴う軸力の最大値が設定されることになる。
【００６３】
指示ピン１０は図８に示すようにロッド端部に設けた指針穴３ｄに挿入される軸１０ｂと目盛り５ｃ上を移動する針１０ａで形成される。
【００６４】
ストッパ１１は図９に示すようにシリンダ部５ａに装着される締結部１１ａと該ストッパ１１をｄにシリンダ部５ａに捩子で締めて固定する部位から形成されている。
【００６５】
そして該ケ−ス５と２か所に設けた脇下受け８の間にはフレ−ムとしてのフレ−ム７が機械的に連結している。
【００６６】
脇下受け８は、図７に示すように脇下に当てる側の受け面８ｂを脇下形状に合わせた平板矩形状で形成した脇下受け８の一端にフレ−ム７の端部を装着し、床に置かれる側の他端には板状の回転止め８ｃを固定させて構成する。
【００６７】
該脇下受けに固定された回転止め８ｃを形成する板は長いほどモーメントを受ける機能は向上し、該板の一部を人体の一部で押さえ付けることにより一層その機能を高めることができる。また、大腿部と脇下の間の距離は人の大きさで異なってくるので、本発明の腰部牽引器具の軸方向長さもそれに合わせた調整が必要となる。
【００６８】
人体が大きくその距離が大きくなり調整が必要な場合には、図１０に示すスペ−サ１２を大腿部当て２とロッド先端部３ａとの間に装着して用いる。スペ−サ１２での調整範囲を超える場合には、ロッドの長さが調整できる構成とする。
【００６９】
さらには、大腿部当て２へのロッドからの軸力が斜めに作用して、大腿部当てが大腿部から滑って定位置から外れるような場合には、その滑りを止めるためにズボンに用いると同じようなベルトを背中から回してケ−スまたは大腿部当てと一緒に締め付ける。
【００７０】
また、大腿部当てとロッド、押付力発生装置とフレ−ム、フレ−ムと脇下受けのそれぞれは互いの穴と軸を挿入して組み付けているので、容易に解体組み立てができる。そして、腕押し具はケ−スの表面に当たるまで回転させることができるので、全体を分解して小さな容器に容易に収納することができる。
【００７１】
他の発明である空圧式の押付力発生装置を用いた腰部牽引器具２０を図１１を用いて説明する。
【００７２】
茶筒のような一端が閉塞した中空円筒で形成されるシリンダ２３と該シリンダに挿入されるピストン部を設けた棒状のロッド２２及び該シリンダと該ピストン部で囲まれた密閉空間内に空気を導入するチュ−ブ２８と空気を送り込む空気ポンプ２９及びその空気ポンプを駆動するスイッチ３０から空圧式の押付力発生装置が構成される。
【００７３】
シリンダ２３に挿入されているピストン部の外周には密閉空間内の気密を保持するためのリングシールを設けても良い。また、密閉空間内の圧力が許容値を超えないように、シリンダ部ないしはポンプに安全装置としての圧力開閉弁２６を設ける。
【００７４】
そして、ロッドの先端に大腿部当て２１を装着し、該シリンダの閉塞側にはフレ−ム２４と２か所に設けた肩支え２５を連結することにより他の発明としての腰部牽引器具２０が構成される。
【００７５】
他の発明である簡易型の腰部牽引器具を図１２を用いて説明する。大腿部当て４１とロッド４２および押し付け力を加えるハンドル４３のみの少ない部品点数で他の発明としての腰部牽引器具４０が構成される。
【００７６】
以下、上記構成の動作を説明する。横臥して膝を立てた状態ないしは椅子に腰掛けた状態すなはち大腿部が胴体に対しておよそ直角に曲がった状態で、両脇下に挟み込んだ脇下受け８にロッド３の円周溝側を挿入した押付力発生装置４を取り付けたフレーム７を装着し、両大腿部に当てた大腿部当て２の中央部に該ロッドの先端を押し当てることで腰部牽引器具１が人体に装着される。
【００７７】
ラチェット機構の押付力発生装置４を用いているので、テコの原理から小さな手の力で大きな軸力をロッドに加えることができる。ハンドルの握り部を押すとギア部に噛み合っているロッドの円周溝が押し上げられると同時に圧縮バネ９が圧縮される。
【００７８】
そして、その軸力を圧縮バネの変位に置き換えているので、一定力を保持した状態で大腿部を介して、必要とされる十分な牽引力を持続させて背骨部に加えることができる。そして、手動式なので、電源不要で如何なる場所でも利用できることと自分自身で身体への影響を確かめながら安全に利用できる。
【００７９】
このように押付力発生装置で発生した軸力はロッドから大腿部当てを介して両大腿部に作用する一方で、その反力はフレ−ムから脇下受けを介して両脇下に作用することから、必要とされる十分な牽引力が確実に背骨部に加わることになる。これにより確実に腰部の疲労や腰痛が改善される。
【００８０】
押付力発生装置で発生した軸力はロッドに作用すると同時にその反力がフレ−ムを介して２か所の脇下受けのフレ−ム取り付け部に作用した力は脇下で受ける。
【００８１】
矩形端板状の脇下受けで押付力発生装置で発生した軸力の反力をフレ−ムを介して受ける場合、その反力を人体に作用する脇下から離れた脇下受けの端部近傍で受けるために、脇下受けには作用点と支点が異なることからモーメントが作用する。
【００８２】
そのモーメントは脇下受けの端部に設けた回転止めにより受け止められるので、脇下受けが回転することがなく定められた位置に保持される。この回転止めの一部を人体の下に敷いてモ−メントを支えることもできる。
【００８３】
次に、他の発明としての空圧式の押付力発生装置で構成された腰部牽引器具の動作を説明する。すなはち、空気圧力を利用した空圧式の押付力発生装置を用いることにより、全く力のない人でも容易に大きな軸力をロッドに加えることができ、且つ身体に装着する腰部牽引器具の軽量化が図れるて人体への負担が軽減する。
【００８４】
また、空気圧力の保持により必要とされる一定の軸力を継続して大腿部を介して、背骨部への牽引力として加えることができる。
【００８５】
次に、他の発明としての簡易式の腰部牽引器具の動作を説明する。すなはち、手で直接押し付け力を発生させるので、必要な時間内で常時手の力を継続させて加える必要がある。押す力は手から直接与えられて、そのまま大腿部に伝達される。
【図面の簡単な説明】
【００８６】
【図１】本発明の腰部牽引器具を人体に装着した図
【図２】本発明の腰部牽引器具の外観図
【図３】腰部牽引器具の中央部に位置する押付力発生装置の平面図
【図４】図３の押付力発生装置の内部を可視化した図
【図５】大腿部当ての正面図
【図６】ロッドの正面図
【図７】脇下受けの正面図
【図８】指針の正面図
【図９】ストッパの外観図
【図１０】スペ−サの正面図
【図１１】他の発明による空圧式の腰部牽引器具
【図１２】他の発明による簡易型の腰部牽引器具
【符号の説明】
【００８７】
１    腰部牽引器具
２    大腿部当て
３    ロッド
３ｃ  円周溝  
３ｄ  指針穴
４    押付力発生装置
５    ケ−ス
５ａ  シリンダ部
５ｂ  ステ−
５ｄ    目盛り
６    腕押し具
６ａ  ギヤ部
６ｂ  軸穴
６ｃ  ハンドル
７    フレ−ム
８    脇下受け
８ｃ  回転止め
９    圧縮バネ
１０  指針
１１  ストッパ
２０  腰部牽引器具
２２  ロッド
２３  シリンダ  
２５  肩支え
２６  圧力開閉弁
２７  圧力導入管  
２８  チュ−ブ  
２９  空気ポンプ  
４０  腰部牽引器具
４３  ハンドル
【図１】
2005261943.tif 000003
【図２】
2005261943.tif 000004
【図３】
2005261943.tif 000005
【図４】
2005261943.tif 000006
【図５】
2005261943.tif 000007
【図６】
2005261943.tif 000008
【図７】
2005261943.tif 000009
【図８】
2005261943.tif 000010
【図９】
2005261943.tif 000011
【図１０】
2005261943.tif 000012
【図１１】
2005261943.tif 000013
【図１２】
2005261943.tif 000014